(57)【要約】【課題】音声データを再生する音声データ再生装置において、再生対象の音声データが記録の開始操作及び停止操作の際に生じる操作ノイズを含んで記録されている場合に、前記音声データを再生して得られる音声に前記操作ノイズが含まれず、且つ、装置の構成が簡便でコストを抑え、且つ、記録対象の音声の指向性に左右されないことを目的とする。【解決手段】 記録媒体１３に記録の音声データの頭部及び尾部に操作ノイズが記録されているが、再生時にＤＳＰ５がバッファメモリ７から音声データを読み出す際、音声データの頭部から３００ミリ秒の間に対応する音声データ及び音声データの尾部から３００ミリ秒だけ遡った間に対応する音声データを除いた分のみを再生し、結果的に、スピーカ１０からは音声データの頭部から３００ミリ秒の間に対応する音声データ及び音声データの尾部から３００ミリ秒だけ遡った間に対応する音声データを除いた分のみが出力される。【選択図】  図２
2007333877.tif 000002
【特許請求の範囲】
【請求項１】
マイクロホンが集音した音声を音声データとして記録された記録媒体から、その音声データを再生し音声として出力する音声データ再生装置であって、
ユーザーが上記音声データの記録の開始操作及び停止操作を行う際に、それらの操作に伴って生じる操作ノイズが上記マイクロホンに集音されて音声データとなって記録され、その音声データを再生するとその操作ノイズも音声として再生されることになるので、その操作ノイズ部分の音声データの再生を避けるように、音声データの記録の開始時から設定した長さの時間の間に対応する音声データ及び記録の停止時から設定した長さの時間だけ遡った間に対応する音声データを除いて再生するように構成されたことを特徴とする音声データ再生装置。
【請求項２】
記録媒体から音声データを読み出し、その音声データを一時的に保持するバッファメモリと、そのバッファメモリの後段に接続され、バッファメモリからの音声データを再生する再生手段と、それらバッファメモリと再生手段を制御する制御手段が備えられ、その制御手段が、音声データの記録の開始時から設定の長さ時間に対応する音声データ及び記録の停止時から設定の長さ時間だけ遡った間に対応する音声データを除いて再生するように制御する際に、前記二つの設定の長さ時間を任意に設定可能な構成とした請求項１に記載の音声データ再生装置。
【請求項３】
記録媒体から音声データを読み出し、その音声データを一時的に保持して再生手段に出力するバッファメモリが備えられ、再生対象から除去すべき音声データがただちに除去され得るように、前記バッファメモリが送られて来る音声データのうちで再生対象の音声データと再生対象から除去すべき音声データをそれぞれ異なる領域に一時的に保持するように構成されてなる請求項１に記載の音声データ再生装置。
【発明の詳細な説明】
【技術分野】
【０００１】
マイクロホンがインタビューや音楽演奏の音声を集音し、その音声を電気信号に変換して記録媒体に音声データとして記録を行う音声データ記録装置、及び、斯かる構成の音声データ記録装置によって記録された音声データを再生し、スピーカ、ヘッドホン等から音声で出力を行う音声データ再生装置が広く知られている。
さて、ユーザーが音声を音声データ記録装置を用いて音声データとして記録する際には、ユーザーは録音ボタンをスライド、押圧等によって操作を行う。同様に、ユーザーが音声データ記録装置の停止を行う際は、停止ボタンをスライド、押圧等によって操作を行う。
【０００２】
ここで、ユーザーが記録ボタンの操作及び停止ボタンの操作を行うと、前記停止ボタンのスライド、押圧等によって装置内に機械的な操作ノイズが発生する。
この記録開始の操作ノイズはマイクロホンによって音声として集音され、しかも、対応する音声データが記録媒体に記録されている際に発生することから、当該操作ノイズは記録媒体に音声データとして記録されることになる。
【０００３】
同様に、記録停止の操作ノイズはマイクロホンによって音声として集音され、しかも、対応する音声データが記録媒体に記録されている際に発生することから、当該操作ノイズは記録媒体に音声データとして記録されることになる。
従って、斯かる操作ノイズを含む音声データの記録媒体を再生すると、記録手段が本来の目的とした音声に加えて、不要でユーザーの意図に反する上記の操作ノイズをも記録することになるから、不要でユーザーの意図に反する操作ノイズをも再生されるという問題が生じる。
【０００４】
よって、再生時には、ユーザーが意図した記録対象の音声に異なる音声が加わって音声出力されることになるので、時には、操作ノイズが記録対象の音声の一部であると間違って受け取られる場合が生じる。
この発明は、マイクロホンがインタビューや音楽演奏の音声を集音し、その音声を電気信号に変換して記録媒体に音声データとして記録した後、その記録された音声データを再生して音声出力する音声データ再生装置に関し、特に、記録の開始操作と停止操作の際に生じる操作ノイズを含まない再生音声を得る音声データ再生装置に関する。
【０００５】
ここで、記録開始時、記録中断及び記録終了の際に内部マイクや外部マイクが操作ノイズを拾わないようにするために、操作ノイズの少ない操作スイッチを使用することが考えられる。
しかし、フェザータッチスイッチという言葉で象徴される操作ノイズの少ない操作スイッチは、操作を行った際にそのスイッチで操作が行われたのか否かを感覚的に認識するのが難しく、使用に熟練を要するという問題があった。
【背景技術】
【０００６】
音声を音声データとして記録を行う際に、記録を開始すること及び記録を停止することによって操作ノイズが生じる。
斯かる操作ノイズが音声データとして記録されないようにすることを目的とし、結果的に、再生対象の音声データに前記操作ノイズを含まないことを目的とした装置として、以下の文献が知られている。
【０００７】
【特許文献１】特開平９−２４７５１０号公報
【発明の開示】
【発明が解決しようとする課題】
【０００８】
特開平９−２４７５１０号公報で開示されている記録マイクシステム（以下、「先行発明」と称する。）は、装置内に複数のステレオマイクを配設し、装置本体の外側に超指向性マイクを取り付け、それら二つの種類のマイクからの信号を増幅処理するマイクアンプを備え、可聴周波数のほぼ全域で指向特性を有する構成としている。
斯かる構成では、記録開始及び記録停止によって生じる操作ノイズをマイクロホンが集音することを無視できるほどに抑えることが可能になっている。
【０００９】
従って、先行発明を用いて音声が音声データとして記録媒体に記録され、その記録された記録媒体の音声データを再生する場合、その再生によって得られる音声は記録開始及び記録停止によって生じる操作ノイズを含む場合が少なく、ユーザーの記録対象とした音声のみが再生されることになって、操作ノイズについての問題は生じ難い。
しかし、先行発明は、複数のステレオマイク、超指向性マイク及びマイクアンプを構成要件として備える必要があり、部品点数が多く装置そのものの構成が大掛かりであって結果的にコストが高くなり、又、記録対象音声に指向性を持つので使い勝手が悪いといった問題があった。
【００１０】
この発明は、上記の事情に鑑みてなされたものであり、記録の開始、記録の一時停止及び記録の停止の操作を行う際に生じる操作ノイズをマイクロホンが集音して音声データとして記録媒体に記録しても、その記録媒体の音声データを再生する際に前記操作ノイズが再生されることがなく、操作が簡便ながらも確実に行うことができ、更に、部品点数を少なく抑えることが可能で、装置全体が大掛かりとなることがなく、記録対象音声に指向性が限定されない音声データ再生装置を提供するものである。
【課題を解決するための手段】
【００１１】
この発明は、記録の開始操作及び停止操作によって生じる操作ノイズが含まれていると考えられる音声データを、再生の際に再生の対象から除去するように構成した音声データ再生装置である。
その詳細な構成は、マイクロホンが集音した音声を音声データとして記録された記録媒体から、その音声データを再生し音声として出力する音声データ再生装置であって、ユーザーが上記音声データの記録の開始操作及び停止操作を行う際に、それらの操作に伴って生じる操作ノイズが上記マイクロホンに集音されて音声データとなって記録され、その音声データを再生するとその操作ノイズも音声として再生されることになるので、その操作ノイズ部分の音声データの再生を避けるように、音声データの記録の開始時から設定した長さの時間の間に対応する音声データ及び記録の停止時から設定した長さの時間だけ遡った間に対応する音声データを除いて再生するように構成されたことを特徴とする音声データ再生装置である。
【００１２】
ここで、操作ノイズ部分として再生の対象の音声データから除く設定時間とは、音声データの記録の開始操作及び停止操作の際に生じる操作ノイズの生じている時間であって、その操作に係るスイッチ等の操作に要する時間に基づく。
しかしながら、記録の開始を行うＲＥＣスイッチ、記録の停止を行うＳＴＯＰスイッチ等はおおよそ、２００〜２５０ミリ秒程度の時間長さで操作が終了し操作ノイズも同じ程度の時間だけ生じる。
【００１３】
従って、この２００〜２５０ミリ秒程度の時間長さに余裕を持たせ、３００ミリ秒を設定時間としている。
しかしながら、音声データの記録の開始操作及び停止操作に係るスイッチ等の操作ノイズの生じている時間は一定でないことから、操作ノイズを含む音声データの除去すべき設定の時間を可変にする構成になっている。                              
【００１４】
操作ノイズを含む音声データが記録されている記録媒体から、その音声データを読み出して操作ノイズを含む音声データ部分を除去する具体的な構成として、記録媒体から音声データを読み出して一時的に保持して再生手段に出力するバッファメモリが備えられ、そのバッファメモリからの音声データのうちで再生対象の音声データと操作ノイズが含まれていると考えられることにより再生対象から除去すべき音声データをそれぞれ異なる領域に一時的に保持させ、上記再生対象の音声データのみを再生手段に送ることによる方法が挙げられる。
斯かる構成により、再生対象から除去すべき音声データをただちに除去し得る効果も得られている。
尚、再生手段は、具体的に、記録媒体に記録されているデジタルの音声データの処理を行うデジタル信号プロセッサ（ＤＳＰ）が挙げられる。
【発明の効果】
【００１５】
この発明は、記録開始及び記録停止の操作を行う際に生じる操作ノイズを含むと考えられる音声データ部分を除いて再生を行うように構成したことにより、記録の開始操作及び停止操作の際に生じて音声データとして記録される操作ノイズ部分に対応するノイズ音声を含まずに再生することが可能であり、しかも、構成が簡便であることから製造コストを低く抑えることが可能であり、記録対象音声の指向性に影響を受けず、操作が簡便な音声データ再生装置である。
【発明を実施するための最良の形態】
【００１６】
この発明を、以下において図面に示す最良の形態に基づき詳述する。しかし、この形態によって、この発明が限定されるものではない。
音声データ再生装置１は、記録機能が付加されており、マイクロホン２と、アンプ３と、Ａ／Ｄ変換器４と、記録手段及び再生手段のデジタル信号プロセッサ５（以下、「ＤＳＰ５」と称する。）と、制御手段６と、バッファメモリ７と、Ｄ／Ａ変換器８と、アンプ９と、スピーカ１０と、操作部１１及び表示部１２が備えられている。
尚、１３は、記録媒体であって、具体的にはデジタルの音声データを記録する半導体メモリである。
【００１７】
又、Ａ／Ｄ変換器４とＤＳＰ５の間及びＤ／Ａ変換器８とＤＳＰ５の間にはデジタルのデータ信号を送るためのバス１４が、ＤＳＰ５と制御手段６の間にはデジタルのデータ信号を送るためのバス１５が、ＤＳＰ５とバッファメモリ７の間にはデジタルのデータ信号を送るためのバス１６が、バッファメモリ７と記録媒体１３の間にはデジタルのデータ信号を送るためのバス１７が、それぞれ介在されている。
マイクロホン２は、入力されて来る音声を集音してアナログの電気信号に変換して後段に出力するものである。
【００１８】
よって、マイクロホン２は、操作部１１を操作した際の操作ノイズをも集音してアナログの電気信号に変換して後段に出力することになる。
尚、マイクロホン２は、比較的広い角度範囲の音声をピックアップするタイプのものであって、特定の方向の音声のみをピックアップする指向性の高いタイプのものではない。よって、音声データ再生装置１そのものを操作すると、マイクロホン２はその操作によって生じる操作ノイズをもピックアップすることになる。
【００１９】
アンプ３は、マイクロホン２の後段に接続され、マイクロホン２から受け取った音声信号のレベルを記録し易い所望の大きさに加工するものである。
Ａ／Ｄ変換器４は、アンプ３の後段に接続され、所望レベルに加工されたアナログの音声データが入力されると、デジタルの音声データに変換して後段に出力するものである。
【００２０】
ＤＳＰ５は、制御手段６からの制御信号に基づいて、Ａ／Ｄ変換器４からのデジタルの音声データを受取った際に、その音声データを記録媒体１３に記録する手段として機能するものである。
又、ＤＳＰ５は、制御手段６からの制御信号に基づいて、記録媒体１３に記録されているデジタルの音声データを再生してＤ／Ａ変換器８に送るようにその音声データを再生する手段として機能するものである。
つまり、ＤＳＰ５は、記録手段で且つ再生手段である。
【００２１】
制御手段６は、入力部１８と、不揮発性のメモリ１９と、演算・制御部２０及び出力部２１が備えられている。
入力部１８は、操作部１１から音声データの記録の開始・停止、再生の開始・停止等の制御信号や音声データに係る信号を受け取るものである。
【００２２】
ユーザーが音声データの記録の開始操作及び停止操作を行うことによって操作ノイズが生じると、その操作ノイズが記録媒体１３に音声データとして記録されることになる。
メモリ１９は、不揮発性であって、この操作ノイズの発生に関し、音声データを再生する際にそれらの操作ノイズを含むと考える音声データを再生部分からキャンセルすべき音声データの期間Ｔ等を記憶するものである。
【００２３】
尚、期間Ｔは、操作部１１から設定が可能であり、操作ノイズの発生している期間が２００〜２５０ミリ秒である場合に対して例えば３００ミリ秒が設定される。
つまり、記録の開始・停止の操作、再生の開始・停止等の操作はユーザーによって緩急の個人差があり、その緩急の個人差のある操作によって操作に要する時間にばらつきが生じる。
【００２４】
又、操作ノイズに係る操作スイッチ等も個体差、経年変化によって、操作ノイズの発生期間は一定ではない。つまり、操作ノイズは、多くの場合、付勢力に抗して操作スイッチを押圧することによって生じる操作摩擦であるが、使用に伴って前記付勢力は低下して操作摩擦の大きさが変化し、結果的に、操作ノイズの生じる時間が変化する場合も生じる。
従って、斯かる事情に対し、操作ノイズの時間が一定ではない或いは変化するということに対応すべく、操作部１１からメモリ１９に操作ノイズのキャンセル期間Ｔを任意に設定することが可能になっている。
【００２５】
演算・制御部２０は、入力部１８からの操作信号の内容に対応して判断・演算を行って制御信号を生成するものである。
出力部２１は、演算部２０で生成された制御信号をＤＳＰ５及び表示部１２に出力するものである。
【００２６】
演算・制御部２０は、より具体的に、上述のメモリ１９へのキャンセル期間の３００ミリ秒の設定、ＤＳＰ５の出力の指示、メモリ１９にキャンセル期間の３００ミリ秒が記憶されている場合には、記録媒体１３からバッファメモリ７に読み出した再生対象の音声データの頭部からキャンセル期間の３００ミリ秒だけを除いた時点からの音声データを再生対象の音声データの頭部として再生させ、その再生対象の音声データの尾部からキャンセル期間の３００ミリ秒だけ遡った時点までの音声データを尾部として再生を終えるように、ＤＳＰ５を介してバッファメモリ７に制御を行うように構成されている。
尚、制御手段６によるバッファメモリ７の機能制御の詳細は、音声データ記録装置１の機能説明において後述する。
演算・制御部２０は、加えて、装置の各部の現状を示すデータの表示部１２へのデータの作成等を行うものである。
【００２７】
バッファメモリ７は、ＤＳＰ５が音声データの記録手段として機能する場合には、ＤＳＰ５と記録媒体１３の間に介在され、バス１６を介してＤＳＰ５からの音声データを一時的に記憶するものである。
そして、バッファメモリ７は、ＤＳＰ５からの音声データを一時的に保持しながら、記録媒体１３への音声データの流れに緩衝機能を奏するものである。
【００２８】
他方、バッファメモリ７は、ＤＳＰ５が音声データの再生手段として機能する際には、記録媒体１３とＤＳＰ５の間に介在され、バス１７を介して記録媒体１３からの音声データを一時的に記憶するものである。
そして、バッファメモリ７は、記録媒体１３からの音声データを一時的に保持しながら、ＤＳＰ５への音声データの流れに緩衝機能を奏する。
【００２９】
加えて、バッファメモリ７は、操作ノイズが含まれると考えられる音声データ部分を除去する旨の制御信号を制御手段６から受けると、記録媒体１３の側から入力されて来る音声データのうち、再生開始の頭部からキャンセル期間の３００ミリ秒の分及び再生停止の尾部から遡ったキャンセル期間の３００ミリ秒の分に対応する両音声データを除去した残りの部分のみをＤＳＰ５に送り、前記再生開始の頭部からキャンセル期間の３００ミリ秒までの対応する音声データ及び記録停止の尾部から遡ったキャンセル期間の３００ミリ秒以降に対応する音声データを除去するように機能するものである。
【００３０】
尚、再生開始からキャンセル期間の３００ミリ秒の間及び再生停止の尾部からキャンセル期間の３００ミリ秒だけ遡った間に対応してＤＳＰ５によって再生される音声に係る音声データは、音声データファイルの一部として管理され、且つ、ファイルの個々のデータにはアドレスが付されている。
そして、バッファメモリ７において、キャンセル期間の３００ミリ秒に対応するアドレスを特定することによって、キャンセル時間に対応する音声データの選択と除去が行われる構成になっている。
【００３１】
又、音声データ再生装置１では、バッファメモリ７は、記録媒体１３から入力されて来る音声データのうち、再生対象の音声データと再生対象から取り除くべき音声データをそれぞれ異なる領域に一時保持するように構成されている。
斯かる構成によって、 操作ノイズの含まれている音声データと操作ノイズの含まれていない音声データがバッファメモリ７によって分離されることになり、操作ノイズを含んでいない真に再生すべき音声データのみが実質的にＤＳＰ５に送られることになる。
【００３２】
同様に、バッファメモリ７が再生対象の音声データと再生対象から取り除くべき音声データをそれぞれ異なる領域に一時保持する構成であることによって、キャンセル時間の３００ミリ秒に相当する音声データを分割して確保することになり、常にバッファメモリ７にはキャンセル時間の３００ミリ秒に相当する音声データが出力されずに残ったままである。
従って、バッファメモリ７への書込みが音声データの尾部に達した際であっても尾部からキャンセル時間の３００ミリ秒だけ遡ったデータが残っているが、その３００ミリ秒に相当する音声データをスキップして読み出し、ＤＳＰ５に送って出力することで除去作業を完了させ、このスキップは瞬時に行われるので再生対象から取り除くべき音声データがただちに除去され得る構成になっている。
【００３３】
尚、音声データ再生装置１における操作ノイズとは、具体的に、操作部１１の記録レバー及び停止レバー（共に、図示省略）をスライド操作する際に、そのスライドに伴って生じる摩擦音、前記記録レバー及び停止レバーを元の位置に戻すための付勢力を与えるバネ（図示省略）の作用ノイズ等が挙げられる。
ＤＳＰ５は、上述したように、制御手段６からの制御信号に基づいて音声データの再生手段として機能するが、音声データの再生手段として機能する際には記録媒体１３に記録されているデジタルの音声データをバス１４を介して再生してＤ／Ａ変換器８に送るように機能するものである。
【００３４】
Ｄ／Ａ変換器８は、記録媒体１３からバッファメモリ７とＤＳＰ５を介してバス１４から入力されるデジタルの音声信号をアナログの音声信号に変換して、アンプ９に送るものである。
アンプ９は、Ｄ／Ａ変換器８からのアナログの音声信号を受け取ると、その音声信号を所望のレベルに加工し、スピーカ１０に出力するものである。
スピーカ１０は、アンプ９からの所望レベルの音声信号を受け取ると、音声に変換して出力するものである。
【００３５】
表示部１２は、音声データ再生装置１の記録機能及び再生機能のその時点での機能状態、例えば、記録、再生、一時停止の状態にある旨及びその経過時間、記録及び再生時の信号レベルの大きさ、電源電池の残量等を表示するものである。
音声データ再生装置１は、上述したように構成されている。以下において、記録媒体１３にＳＬ列車の通過音が音声データとして記録され、その記録された音声データを再生する場合の機能を説明する。
【００３６】
まず初めに、音声データ再生装置１を用いて、ＳＬ列車の通過音を記録することについて説明する。
ユーザーは、音声データ再生装置１の装置本体（図示省略）の内部の所定位置に記録媒体１３を配置してバス１７に接続する。
ここで、音声データ再生装置１は、図１に示すように、記録媒体１３が装着された状態になる。
【００３７】
ここで、ユーザーは操作部１１を操作してメイン電源のスイッチをＯＮにする。このメイン電源のスイッチがＯＮとなることによって、表示部１２の液晶表示面（図示省略）の表示はスタート画面に変わる。
次に、ユーザーは、ＳＬ列車が近付いて来る方角にマイクロホン２を向け、次に、ＳＬ列車の発する音声を記録したいと思う程にＳＬ列車が近付いて来るまで記録することを待ち構える。
【００３８】
ＳＬ列車はその特有の音声を発しながらユーザーの側に近付いて来るが、ユーザーはＳＬ列車の発する音声を記録したいと思っている時点のほぼ０．５秒（５００ミリ秒）前に操作部１１を操作して記録を開始させる。つまり、具体的には、操作部１１の前記記録レバーを記録状態となるようにスライドさせて録音機能（音声データ記録の機能）をＯＮにする。
ここで、マイクロホン２は、ＳＬ列車の発する音声と装置本体の回りの音声を集音し、アナログの音声信号に変換してアンプ３に送る。
【００３９】
尚、上述のほぼ０．５秒（５００ミリ秒）という数値は、真に録音をしたいと考える時刻に対し、録音の操作をしようと思ってから実際に録音が開始されるまでのタイムラグを埋めるためのものであり、ユーザーにとって対象となる録音の内容、ユーザーの操作に対する手際の良し悪し等によって適宜選択するのがよい。
この時、図２のＡに示すように、マイクロホン２が集音する音声の中には、操作部１１の前記停止レバーのスライド操作によって発する音声（操作ノイズ）と前記記録レバーのスライド操作に抗する付勢用の前記バネの作用音（操作ノイズ）が頭部に含まれている。
アンプ３は、マイクロホン２からアナログの音声データを受け取るとそのレベルを記録し易い所望のレベルに加工してＡ／Ｄ変換器４に送る。
【００４０】
Ａ／Ｄ変換器４は、アンプ３からの所望のレベルに加工されたアナログの音声信号を入力すると、デジタルの音声データに変換し、バス１４を介してＤＳＰ５に送る。
ＤＳＰ５は、バス１４を介してＡ／Ｄ変換器４からの音声データを受け取ると共に、マイクロホン２の集音した音声に係る音声データを記録媒体１３に記録するようにとの制御手段６からの制御信号に基づいて記録手段として機能する。
【００４１】
つまり、ＤＳＰ５は、制御手段６からの記録を開始する旨の制御信号を受けて、バス１６を介してバッファメモリ７にバス１４からの音声データを送る。
バッファメモリ７は、ＤＳＰ５から音声データを受け取ると、一時的に保持して記録媒体１３への当該音声データの流れに緩衝機能を奏する。
【００４２】
バッファメモリ７は、ＤＳＰ５からの音声データを記録媒体１３に送ることに対して緩衝機能を奏するが、音声データそのものに対して加工や処理を行っていないから、音声データは頭部に記録の開始操作による操作ノイズを含んだ状態で記録媒体１３に送られることになる。
従って、記録媒体１３には、図２のＢに示すように、頭部に記録開始操作による操作ノイズを含む音声データが記録されることになる。
【００４３】
ＳＬ列車がユーザーの居る位置に最も近付き、ユーザーの傍らを通り過ぎて、更に、遠くに走り去ったので、ユーザーはＳＬ列車から発する音声の記録を停止したいと思っている時点のほぼ０．２秒（２００ミリ秒）後に操作部１１の前記停止レバーを操作して、音声データの記録を停止する。
この時、音声データの記録の開始時と同様に、マイクロホン２は前記停止レバーの操作ノイズをも集音して音声信号に変換し、アンプ３、Ａ／Ｄ変換器４、ＤＳＰ５を介して、対応する操作ノイズを含む音声データとしてバッファメモリ７に送る。
【００４４】
ここで、前記停止レバーの操作によって音声データの記録が停止されるが、その停止レバーの操作の開始から記録が停止するまでの間、マイクロホン２の入力音声には、図２のＡに示すように、停止操作の開始から停止まで操作ノイズが含まれることになる。
他方、停止操作によって生じた操作ノイズは、マイクロホン２で集音されてＤＳＰ５の側に送られるが、記録開始の操作時と同様に、音声データそのものに加工は施されないから、結果的に尾部に操作ノイズを含んだ状態で記録される。
従って、記録媒体１３に記録されている音声データは、図２のＡに示すように、その頭部と尾部に操作ノイズが含まれている。
【００４５】
以下において、ユーザーが上述の記録媒体１３に記録したＳＬ列車に係る音声データの再生を行うことを説明する。
ユーザーは、操作部１１の再生レバー（図示省略）を操作して再生操作を行う。この再生操作によって、操作部１１から制御手段６に再生の命令信号が出力される。
【００４６】
制御手段６は、入力部１８から再生の命令信号を受け取ると、演算・制御部２０がメモリ１９から再生対象の音声データの頭部及び尾部のキャンセルすべき期間Ｔ（予め設定した３００ミリ秒）つまりその音声データの頭部と尾部において削除を行う時間長さを読み出す。
出力部２１は、再生対象の音声データ、つまり、記録媒体１３に記録されている前記ＳＬ列車に係る音声データは、図２のＣに示すように、音声データの頭部から３００ミリ秒分の音声データと尾部から３００ミリ秒だけ遡った音声データをバッファメモリ７でキャンセルし、残りの音声データをＤＳＰ５に送るための制御信号を出力する。
【００４７】
つまり、詳細には、ＤＳＰ５が制御手段６から再生開始の指示の制御信号を受けると、バッファメモリ７を介して、記録媒体１３から再生対象のファイルのデータの読み出しを開始する。
尚、ＤＳＰ５がここで制御手段６から受ける再生開始の制御信号には、上述しているように、音声データの頭部から３００ミリ秒だけの音声データ及び尾部から３００ミリ秒だけ遡った音声データを除去する内容も含まれている。
ここで、ＤＳＰ５は、ファイルの属性が含まれているヘッダ情報を読み出し、再生ファイルの形式を取得する。
【００４８】
次に、ＤＳＰ５は、対応する再生対象の音声データを記録媒体１３から読み出し、その対応する音声データを一時的に蓄える。
音声データの頭部から設定した期間の３００ミリ秒に対応する音声データを除去して再生する際、ＤＳＰ５は、読み取ったファイル情報から単位時間の音声データの量を算出し、キャンセル期間の３００ミリ秒に相当するバッファメモリ７内のアドレスを算出する。この算出で得られたアドレスの次のアドレスから音声データの読み出しを開始する。
つまり、音声データ再生装置１は、音声データの頭部からではなく、操作ノイズに対応する音声データ部分が含まれると設定した期間の３００ミリ秒だけ頭部からデータ記録方向後方にスキップさせ、そのスキップで飛び越した位置から音声データの再生を開始することになる。
【００４９】
尚、バッファメモリ７では、始めの位置から終わりの位置まで順番に、記録媒体１３から読み出された音声データの書き込みが行われる。
処が、バッファメモリ７の容量は、一定であって再生の対象の音声データのデータ量に比して通常極めて小さいので、バッファメモリ７に蓄えられる音声データの量及び読み出しの期間はバッファメモリ７の容量に制限されることになる。
【００５０】
しかし、バッファメモリ７は、その容量が小さいことに対し、音声データの書き込みが始めの位置から進んで終わりの位置に到ると、再び始めの位置に戻って何度も上書きを行われる構成になっている。
バッファメモリ７は、斯かる構成の上書きの書き込みが行われると共に、後段のタイミングに合わせて音声データの読み出し位置を変えながら音声データを読み出すように構成されている。
【００５１】
よって、バッファメモリ７に一時書き込みされる音声データの量及びＤＳＰ５へと読み出される期間は、バッファメモリ７の容量に制限されることになる。
又、バッファメモリ７において、読み出しの期間内に当該音声データが読み出れない場合には、その音声データは上書きされて消滅し除去されることになる。
【００５２】
従って、操作ノイズに係るキャンセル対象の音声データは、記録媒体１３から読み出されてバッファメモリ７に書き込まれるが、ＤＳＰ５にはその音声データの３００ミリ秒以降の部分が送られるから、再生の対象になって音声となって出力されることはない。
又、操作ノイズに係るキャンセル対象の音声データは、バッファメモリ７に書き込まれた後、そのバッファメモリ７に後続する音声データが書き込まれる状態が続くので、その後続する音声データが上書きされることによって、結果的に、消滅し実質的に除去されることになる。
【００５３】
他方、当該音声データの再生が終了する際には、ＤＳＰ５が記録媒体１３から読み出している音声データの尾部を検出して、その尾部から３００ミリ秒だけ遡った音声データ部分を除去するようにバッファメモリ７を制御する。
つまり、ＤＳＰ５が当該音声データの尾部を検出して記録媒体１３から音声データの読み出しを終了する際に、音声データの尾部の設定期間の３００ミリ秒だけデータ記録方向前方にスキップして再生を終了することになるが、記録媒体１３から読み出した音声データをバッファメモリ７に書き込む際に、設定期間の３００ミリ秒に相当する音声データがバッファメモリ７に常に残るように、読み出しアドレスを書込みアドレスに対してシフトさせ、一定量の音声データが確保されるように、ＤＳＰ５が制御を行う構成になってる。
【００５４】
加えて、ＤＳＰ５は、音声データのバッファメモリ７への書込みアドレスと設定期間の３００ミリ秒に相当する音声データの量とに基づいてバッファメモリ７からの最終読み出しのアドレスを算出し、そのアドレスまで音声データを読み出した時点で再生を終了する構成になっている。
従って、バッファメモリ７は、記録媒体１３から音声データの読み出しを続け、その読み出しによって得た音声データを一時記録し、その後にＤＳＰ５にその一時記録された音声データは読み出されて行く。
【００５５】
この時、バッファメモリ７は、上述したように、再生対象の音声データと再生対象から取り除くべき音声データをそれぞれ異なる領域に一時保持する。
従って、バッファメモリ７への書込みが音声データの尾部に達した際に尾部からキャンセル時間の３００ミリ秒だけ遡ったデータが残っているが、その３００ミリ秒に相当する音声データをスキップして読み出し、ＤＳＰ５に送って出力することで除去作業を完了させ、このスキップは瞬時に行われるので再生対象から取り除くべき音声データがただちに除去されることになる。
【００５６】
ここで、バッファメモリ７の音声データの読み出しで、その読み出し位置が音声データの尾部に到達すると、上述したように、ＤＳＰ５は最終読み出しのアドレスを算出し、設定期間の３００ミリ秒に相当する音声データがバッファメモリ７に常に残るように構成されているから、ＤＳＰ５は該当するアドレスまでで音声データの再生を終了し、音声データの尾部から３００ミリ秒だけ遡った分の音声データはバッファメモリ７に保持されて、ＤＳＰ５に送られることはない。
従って、ＤＳＰ５が、バッファメモリ７から、尾部から３００ミリ秒だけ遡った分の音声データまでしか読み込まないので、音声データの再生は音声データの尾部から３００ミリ秒だけ遡った位置で終了し、音声データ再生装置１は尾部に操作ノイズを含む部分の音声データを再生することがない。
【００５７】
よって、ＤＳＰ５は、バッファメモリ７から、ＳＬ列車からの音声に係る音声データのうち、頭部の３００ミリ秒及び尾部の３００ミリ秒が除去された部分を時系列的にそのままの順序でＤ／Ａ変換器８に送る。
ここで、Ｄ／Ａ変換器８は、バス１４を介してのＤＳＰ５からのデジタルの音声データをアナログの音声信号に変換してアンプ９に送る。
【００５８】
アンプ９は、そのアナログの音声信号を所望のレベルに増幅した後、スピーカ１０に送る。    
スピーカ１０は、アンプ９からの所望レベルの音声信号を音声に変換して、音声として出力を行う。
【００５９】
この時スピーカ１０と出力される音声は、図２のＤに示すように、ＤＳＰ５における再生の音声データに対応して、スピーカ１０から出力される音声はＤＳＰ５で再生された内容に全く対応しているから、ＳＬ列車から発する音声に係る音声データは頭部と尾部に操作ノイズが含まれておらず、スピーカ１０から出力される音声に操作ノイズが含まれることがない。
従って、例えば、再生した際に再生音声の頭部と尾部においてＳＬ列車からの音声の一部と受け取れる騒音があった場合に、その騒音が操作ノイズであるかＳＬ列車から発した騒音であるかといった疑問に対して、操作ノイズが再生されることがないので、その騒音と受け取れる音声はＳＬ列車が発する音声の一部である受け取ることができる。
つまり、音声データ再生装置１では、真に記録したいと考えた音声だけが記録されるので、操作ノイズの再生を考慮する必要がない。
【００６０】
他方、音声データ再生装置１は、上述した通りの構成であって、高指向性を問わない一つのマイクロホンで音声のピックアップを済ますことが可能であり、又、部品点数が特別に多くなることはなく、構成も大掛かりなものではない。
よって、製造コストを低く抑えることが可能であり、又、記録が対象音声の指向性に左右されることがないという効果が得られている。
【００６１】
音声データ再生装置１は、音声データの記録機能を備えこの記録機能によって記録された音声データの再生を上述したが、他の音声データ記録装置によって記録された音声データであっても、勿論、操作ノイズを除去して音声データを再生することが可能になっている。
音声データを除去する時間は、上述の例において３００ミリ秒を設定しているが、操作ノイズの発生期間に合わせて適宜選択するのがよい。  
【図面の簡単な説明】
【００６２】
【図１】この発明ついて、記録媒体が接続された際の最適な形態の構成を説明する構成ブロック図である。
【図２】図１に示す形態の機能時において、マイクロホンに音声が入力される音声の長さ、記録媒体に記録される際の音声データの長さ、記録媒体に記録された音声データがＤＳＰで再生される際の音声データの長さ及びスピーカから出力される再生音声の長さの関係を示す関係説明図である。
【符号の説明】
【００６３】
１        ：音声データ再生装置
２        ：マイクロホン
３，９    ：増幅手段
４        ：Ａ／Ｄ変換器
５        ：デジタル信号プロセッサ（記録手段で且つ再生手段、ＤＳＰ）
６        ：制御手段
７        ：バッファメモリ
８        ：Ｄ／Ａ変換器
１０      ：スピーカ
１１      ：操作部
１２      ：表示部
１３      ：記録媒体
【図１】
2007333877.tif 000003
【図２】
2007333877.tif 000004